(57)【要約】【課題】上部枠体にカバー類（装飾ランプ・カバー及びスピーカ・カバー）を取り付ける時の作業効率の向上や部品点数の削減を図ることができる遊技機を提供する。【解決手段】装飾ランプ・カバー２００は、装飾ランプが配設された領域とほぼ一致するとともに、一対のスピーカ６が配設された領域を除く湾曲形状に成形され、スピーカ・カバー３００は、上部枠体１００に対して着脱自在に構成されるとともに、一対のスピーカ６が配設される領域を覆う形状であって、且つ、装飾ランプ・カバー２００を構成する開口部の内周縁部とほぼ一致する湾曲形状に成形され、このスピーカ・カバー３００は、装飾ランプ・カバー２００の外周縁部と当接することにより、装飾ランプ・カバー２００を上部枠体１００に取り付け固定する。【選択図】        図１
2008048918.tif 000002
【特許請求の範囲】
【請求項１】
前面ドア体と、当該前面ドア体を開閉自在に配設した遊技機本体とから構成される遊技機において、
前記前面ドア体の上部位置には、上部枠体が設けられ、当該上部枠体の所定位置には、互いに離隔する一対のスピーカと、当該一対のスピーカの周囲に位置する複数の装飾ランプとが配設されるとともに、
前記装飾ランプが配設された領域とほぼ一致する形状であって、前記一対のスピーカが配設された領域を除く湾曲形状に成形された第１のカバー部材と、
前記上部枠体に対して着脱自在に構成されるとともに、前記一対のスピーカが配設された領域を覆う形状であって、且つ、前記第１のカバー部材を構成する開口部の内周縁とほぼ一致する湾曲形状に成形された第２のカバー部材とを備えることを特徴とする遊技機。
【請求項２】
前面ドア体と、当該前面ドア体を開閉自在に配設した遊技機本体とから構成される遊技機において、
前記前面ドア体の上部位置には、上部枠体が設けられ、当該上部枠体の所定位置には、互いに離隔する一対のスピーカと、当該一対のスピーカの周囲に位置する複数の装飾ランプとが配設されるとともに、
前記装飾ランプが配設された領域とほぼ一致する形状であって、前記一対のスピーカが配設された領域を除く湾曲形状に成形された装飾ランプ・カバーと、
前記上部枠体に対して着脱自在に構成されるとともに、前記一対のスピーカが配設された領域を覆う形状であって、且つ、前記装飾ランプ・カバーを構成する開口部の内周縁とほぼ一致する湾曲形状に成形されたスピーカ・カバーとを備え、
前記スピーカ・カバーは、
前記装飾ランプ・カバーを構成する開口部の内周縁の少なくとも一部と当接することにより、当該装飾ランプ・カバーを前記上部枠体に対して取り付け固定することを特徴とする遊技機。
【請求項３】
前記上部枠体の内部であって、前記装飾ランプの周囲には、当該装飾ランプから放射される放射光が前方以外の方向に拡散することを防止する光拡散防止部材が設けられることを特徴とする請求項１または２に記載の遊技機。
【請求項４】
前記装飾ランプ・カバーには、前記上部枠体の所定位置に形成された位置決め孔に嵌合自在な位置決めピンが設けられることを特徴とする請求項２または３に記載の遊技機。
【請求項５】
前記スピーカ・カバーには、前記上部枠体の所定位置に形成された係合孔に係合自在な係合部材が設けられることを特徴とする請求項２、３または４に記載の遊技機。
【請求項６】
前記装飾ランプ・カバーを構成する開口部の内周縁の一部には、前記スピーカ・カバーに設けられた係合部材を挿通自在な切り欠き部が設けられることを特徴とする請求項５に記載の遊技機。
【請求項７】
前記スピーカ・カバーには、前記上部枠体の所定位置に固設された取り付け部に対して固定される取り付け部材が設けられることを特徴とする請求項２〜６のいずれか一つに記載の遊技機。
【発明の詳細な説明】
【技術分野】
【０００１】
本発明は、遊技機に関し、特に、遊技状態に応じて効果音や音声を出力するスピーカ及び装飾ランプを内部に有する装飾ランプ・カバーとを備えた遊技機に関する。
【背景技術】
【０００２】
従来より、遊技客から投入されるメダル若しくはＢＥＴ操作後に、スタートレバーを操作して３個のリールを回転駆動させるとともに、各リールに対応するストップボタンの押下により各リールを停止させ、さらに、リール表示窓内に停止した図柄の組み合わせに応じて所定枚数のメダルを払い出すパチスロ機が知られている。
【０００３】
このようなパチスロ機には、リールの回転時や遊技状態に応じて、キャラクタなどの表示により様々な演出を行なう液晶表示パネルや特殊な効果音や音声などを出力するためのスピーカを備えている。遊技者は、液晶表示パネルに表示される遊技演出やスピーカから出力される効果音や音声により遊技の興趣性を向上させることができる。
【０００４】
また、このような液晶表示パネルやスピーカなどの演出以外に、パチスロ機の上部位置（上部枠体）には、遊技状態に応じて点滅したり点灯する装飾ランプを内部に有する装飾ランプ・カバーが設けられている。遊技者は、液晶表示パネルの表示やスピーカによる効果音と同様に、装飾ランプの点滅や点灯による装飾ランプ・カバーの発光により遊技の興趣性を向上させることができる。
【０００５】
ここで、通常、パチスロ機の外観（筐体の構成）は機種やデザインなどが変更になっても、ほぼ同一の構造となっている。一方、スピーカのカバーや装飾ランプのカバーの外観はパチスロ機の機種やデザインに応じて種々異なるように設計されている。このため、機種変更やデザイン変更を行なう場合、外観を異ならせるために、上部枠体に取り付けたスピーカ・カバーや装飾ランプ・カバーなどのカバー類を他の形状やデザインが異なるカバー類と交換することで、パチスロ機の機種交換やデザイン変更などに対応している。
【０００６】
具体的に説明すると、パチスロ機の機種交換やデザイン変更を行なう場合、カバー類（スピーカ・カバー及び装飾ランプ・カバー）をパチスロ機の上部枠体から取り外し、新たにデザイン変更されたカバー類を、パチスロ機の上部枠体に取り付けて交換する作業を行なうこととなる。この場合、上部枠体にカバー類を取り付ける方法としては、複数の取り付けネジや固定部材を使用して行なわれる。
【０００７】
また、この種の装飾ランプ・カバーを備えているパチスロ機の従来例としては、パチスロ機の前ドアの角部を除く位置に装飾ランプ・カバーを取り付けている遊技機について開示されている（例えば、特許文献１参照）。この特許文献１に開示されたパチスロ機の場合、装飾ランプ・カバーは、パチスロ機の前ドアの角部を除く位置に取り付けるので、接触などによる装飾ランプ・カバーの変形や破損を防止するとともに、耐久性の向上を図ることが可能となる。
【０００８】
【特許文献１】特開２００４−２４８０４号公報
【発明の開示】
【発明が解決しようとする課題】
【０００９】
ここで、近年では、多種類の機種やデザインが異なるパチスロ機が続々と登場してきており、このため、前述したように、パチスロ機の機種変更やデザイン変更を行なう際には、上部枠体に取り付けたスピーカ・カバーや装飾ランプ・カバーを他の形状やデザインが異なるカバー類と交換する必要がある。このようなカバー類の交換作業は、メーカーの工場や遊技店内で、その都度、頻繁に行なわれるものとなる。
【００１０】
ところが、上述したように、パチスロ機の上部枠体に対するカバー類の取り付けは、複数の取り付けネジや固定部材を使用して行なわれるため、パチスロ機の機種交換やデザイン変更を行なう都度、それぞれのカバーを上部枠体に固定している複数の取り付けネジや固定部材を取り外す作業や取り付ける余分な作業が必要となる。このため、作業効率が低下したり、交換作業を迅速に行なうことができないという問題がある。また、従来では、上述したように、上部枠体に対して、装飾ランプ・カバーやスピーカ・カバーを取り付けるための複数の取り付けネジや固定部材が必要となるため、部品点数の増加などによりコストが嵩むという問題がある。
【００１１】
また、従来公報に開示された遊技機の場合においても、装飾ランプ・カバーの配設位置を角部以外の位置とすることで、装飾ランプ・カバーの変形や破損などを防止することはできるが、上述した問題点と同様に、装飾ランプ・カバーは取り付けネジや固定部材を使用して上部枠体に取り付けられているため、上部枠体に取り付けたスピーカ・カバー及び装飾レンズカバーを交換する場合に、取り付けネジや固定部材の取り外しや取り付けなど余分な作業が生じてしまい作業効率が低下するという問題がある。さらに、従来公報に開示されている遊技機の場合、スピーカを保護するスピーカ・カバーは、スピーカの個数分（２個）だけ必要となっているため、これにより、部品点数の削減及びコストダウンを図れないという問題がある。
【００１２】
そこで、この発明は、上述した従来技術の課題を解決するためになされたものであり、装飾ランプ・カバー及びスピーカを備えた遊技機に関し、特に、上部枠体にカバー類（装飾ランプ・カバー及びスピーカ・カバー）を取り付ける時の作業効率の向上や部品点数の削減を図ることができる遊技機を提供することを目的とする。
【課題を解決するための手段】
【００１３】
上述した課題を解決するため、請求項１に係る発明は、前面ドア体と、当該前面ドア体を開閉自在に配設した遊技機本体とから構成される遊技機において、前記前面ドア体の上部位置には、上部枠体が設けられ、当該上部枠体の所定位置には、互いに離隔する一対のスピーカと、当該一対のスピーカの周囲に位置する複数の装飾ランプとが配設されるとともに、前記装飾ランプが配設された領域とほぼ一致する形状であって、前記一対のスピーカが配設された領域を除く湾曲形状に成形された第１のカバー部材と、前記上部枠体に対して着脱自在に構成されるとともに、前記一対のスピーカが配設された領域を覆う形状であって、且つ、前記第１のカバー部材を構成する開口部の内周縁とほぼ一致する湾曲形状に成形された第２のカバー部材とを備えることを特徴とする。
【００１４】
本発明によれば、第１のカバー部材（装飾ランプ・カバー）は、装飾ランプが配設された領域とほぼ一致する形状であって、一対のスピーカが配設された領域を除く湾曲形状に成形され、第２のカバー部材（スピーカ・カバー）は、上部枠体に対して着脱自在に構成されるとともに、一対のスピーカが配設される領域を覆う形状であって、且つ、第１のカバー部材を構成する開口部の内周縁とほぼ一致する湾曲形状に成形されているので、上部枠体に対する第２のカバー部材の取り付けを行なうことで、第２のカバー部材は第１のカバー部材の開口部の内周縁に当接するため、これにより、上部枠体に対する第１のカバー部材の取り付けを行なうことができる。この場合、上部枠体に対する第１のカバー部材の取り付けは、スピーカを保護する第２のカバー部材を上部枠体に取り付けることで行なうことができるので、上部枠体に第１のカバー部材及び第２のカバー部材を取り付ける時の作業効率を向上できるうえ、第１のカバー部材を上部枠体に固定する複数の取り付けネジや固定部材が不要となるため部品点数の削減及びコストダウンを図ることができる。
【００１５】
また、第２のカバー部材は、一対のスピーカが配設される領域を覆う形状であるため、この第２のカバー部材を１つ取り付けるだけで、複数のスピーカを同時に保護することができる。
【００１６】
また、請求項２に係る発明は、上記発明において、前面ドア体と、当該前面ドア体を開閉自在に配設した遊技機本体とから構成される遊技機において、前記前面ドア体の上部位置には、上部枠体が設けられ、当該上部枠体の所定位置には、互いに離隔する一対のスピーカと、当該一対のスピーカの周囲に位置する複数の装飾ランプとが配設されるとともに、前記装飾ランプが配設された領域とほぼ一致する湾曲形状であって、前記一対のスピーカが配設された領域を除く湾曲形状に成形された装飾ランプ・カバーと、前記上部枠体に対して着脱自在に構成されるとともに、前記一対のスピーカが配設された領域を覆う形状であって、且つ、前記装飾ランプ・カバーを構成する開口部の内周縁とほぼ一致する形状に成形されたスピーカ・カバーとを備え、前記スピーカ・カバーは、前記装飾ランプ・カバーを構成する開口部の内周縁の少なくとも一部と当接することにより、当該装飾ランプ・カバーを前記上部枠体に対して取り付け固定することを特徴とする。
【００１７】
本発明によれば、装飾ランプ・カバーは、装飾ランプが配設された領域とほぼ一致する形状であって、一対のスピーカが配設された領域を除く形状に成形され、スピーカ・カバーは、上部枠体に対して着脱自在に構成されるとともに、一対のスピーカが配設される領域を覆う形状であって、且つ、前記装飾ランプ・カバーを構成する開口部の内周縁とほぼ一致する形状に成形され、このスピーカ・カバーは、装飾ランプ・カバーを構成する内周縁の少なくとも一部と当接することにより、装飾ランプ・カバーを上部枠体に対して取り付け固定するので、これにより、上部枠体に対する装飾ランプ・カバーの取り付けを容易に行なうことができる。この場合、上部枠体に対する装飾ランプ・カバーの取り付けは、スピーカを保護するスピーカ・カバーを上部枠体に取り付けることで行なうことができるので、上部枠体に装飾ランプ・カバー及びスピーカ・カバーを取り付ける時の作業効率を向上できるうえ、装飾ランプ・カバーを上部枠体に固定する複数の取り付けネジや固定部材が不要となるため部品点数の削減及びコストダウンを図ることができる。
【００１８】
また、スピーカ・カバーは、一対のスピーカが配設される領域を覆う形状であるため、このスピーカ・カバーを１つ取り付けるだけで、複数のスピーカを同時に保護することができる。
【００１９】
また、請求項３に係る発明は、上記発明において、前記上部枠体の内部であって、前記装飾ランプの周囲には、当該装飾ランプから放射される放射光が前方以外の方向に拡散することを防止する拡散防止部材が設けられることを特徴とする。
【００２０】
本発明によれば、装飾ランプの周囲には、装飾ランプから放射される放射光が前方以外の方向に拡散することを防止する拡散防止部材が設けられるので、装飾ランプから放射される放射光を確実に前方に向けて放射させることができ、これにより、拡散光などではない良好な装飾光を得ることができる。
【００２１】
また、請求項４に係る発明は、上記発明において、前記装飾ランプ・カバーには、前記上部枠体の所定位置に形成された位置決め孔に嵌合自在な位置決めピンが設けられることを特徴とする。
【００２２】
本発明によれば、上部枠体に対する装飾ランプ・カバーの取り付けは、装飾ランプ・カバーの位置決めピンを上部枠体の所定位置に形成された位置決め孔に嵌合させることで行なうので、上部枠体に対する装飾ランプ・カバーの取り付け位置を特定する位置決め作業を効率良く行なうことができるうえ、装飾ランプ・カバーを上部枠体の所定の位置に正確に取り付け固定することができる。
【００２３】
また、請求項５に係る発明は、上記発明において、前記スピーカ・カバーには、前記上部枠体の所定位置に形成された係合孔に係合自在な係合部材が設けられることを特徴とする。
【００２４】
本発明によれば、上記発明において、スピーカ・カバーには、上部枠体の所定位置に形成された係合孔に係合自在な係合部材が設けられるので、上部枠体の所定位置に形成された係合孔に対するスピーカ・カバーに設けられた係合部材の係合により、スピーカ・カバーと上部枠体との間に装飾ランプ・カバーを介在させた状態で、装飾ランプ・カバーをスピーカ・カバーと上部枠体とにより強く挟持することができるため、これによって、装飾ランプ・カバーを上部枠体の所定位置に位置ズレすることなく確実に取り付け固定することができる。
【００２５】
また、請求項６に係る発明は、上記発明において、前記装飾ランプ・カバーを構成する開口部の内周縁の一部には、前記スピーカ・カバーに設けられた係合部材を挿通自在な切り欠き部が設けられることを特徴とする。
【００２６】
本発明によれば、上部枠体に対するスピーカ・カバーの取り付け時に、スピーカ・カバーの係合部材は、装飾ランプ・カバーの内周縁の一部に形成された切り欠き部に挿通しつつ、上部枠体の所定位置に形成された係合孔と係合するので、装飾ランプ・カバーの切り欠き部に対するスピーカ・カバーの係合部材の挿通に伴う係合部材と切り欠き部との当接により、スピーカ・カバーによる装飾ランプ・カバーに対する当接がより強いものとなり、この結果、より確実に装飾ランプ・カバーを上部枠体の所定位置に位置ズレすることなく確実に取り付け固定することができる。
【００２７】
また、請求項７に係る発明は、上記発明において、前記スピーカ・カバーには、前記上部枠体の所定位置に固設された取り付け部に対して固定される取り付け部材が設けられることを特徴とする。
【００２８】
本発明によれば、上部枠体に対するスピーカ・カバーの取り付けは、スピーカ・カバーの取り付け部材を上部枠体の取り付け部に取り付けることにより行なわれるので、スピーカ・カバー及び装飾ランプ・カバーを上部枠体の所定の位置に確実に取り付け固定することができる。
【発明の効果】
【００２９】
本発明によれば、上部枠体に対する装飾ランプ・カバーの取り付けは、スピーカを保護するスピーカ・カバーを上部枠体に取り付けることで行なうことができるので、上部枠体に装飾ランプ・カバーを取り付ける際の作業効率を向上できるとともに、装飾ランプ・カバーを固定する取り付けネジ及び固定部材が不要となるため部品点数の削減を図ることができる。
【発明を実施するための最良の形態】
【００３０】
以下に添付図面を参照して、本発明に係る遊技機の好適な実施例を詳細に説明する。なお、本発明はメダル、コイン、遊技球又はトークンなどを遊技媒体として用いる各種遊技機に適用することができるが、ここでは本発明をメダルを遊技媒体として用いるパチスロ機に適用した場合を示すこととする。
【実施例１】
【００３１】
[パチスロ機１の全体構成]
先ず、図１〜図３を参照して、実施例１に係るパチスロ機１の外観構成について詳細に説明する。このうち、図１は、実施例１に係るパチスロ機１の外観構成を示す斜視図を示している。また、図２は、上部枠体１００の外観構成図（正面図）を、図３は、上部枠体１００に装着されるカバー類（装飾ランプ・カバー２００、スピーカ・カバー３００）及び配当表パネル４００の分解構成図をそれぞれ示している。
【００３２】
また、図４−１は、カバー類（装飾ランプ・カバー２００、スピーカ・カバー３００）及び配当表パネル４００を取り外した状態の上部枠体１００の斜視図、図４−２は、図４−１の正面図を、図５は、光拡散防止シート１５０の要部断面図を、図６は、上部枠体１００の後部方向から観た斜視図をそれぞれ示している。
【００３３】
図１に示すように、パチスロ機１の全体を形成している筐体は、箱状のキャビネット１ａと、このキャビネット１ａの前部に形成した開口部を開閉する前面ドア２とを備えて構成されている。また、前面ドア２の上部位置には、この前面ドア２を構成するベースフレームに対して着脱自在に組み付け固定される上部枠体１００が設けられている。
【００３４】
図２及び図３に示すように、上部枠体１００は、前面ドア２と同形状の四角形状に成形された本体部１１０と、本体部１１０の上部側を覆う上部カバー１２０とベース板部１３０と、上部カバー１２０の両側の位置に配設された一対のサイドランプ・カバー１４０とから構成されている。また、この上部枠体１００内の所定の位置には、複数のカバー類（装飾ランプ・カバー２００、スピーカ・カバー３００）及び配当表パネル４００が取り付け固定される構成となっている。
【００３５】
このうち、上部枠体１００を構成するベース板部１３０の両側位置には互いに離隔する一対のスピーカ６が配設されている。これら一対のスピーカ６は、パチスロ機1による遊技状態により、所定の効果音や音声などの演出音を外部に出力することができる。
【００３６】
さらに、これら一対のスピーカ６が配設された領域を除いたベース板部１３０の一部の領域（装飾ランプ・カバー２００の配設位置と対向する領域）には、複数の装飾ランプ１６０（例えば、白色のＬＥＤ）が配設されている。この装飾ランプ・カバー２００は、樹脂材などを使用したカラーレンズカバーとして構成されており、装飾ランプ１６０の点滅や点灯により所定のカラー色（例えば、赤色）として視認される。
【００３７】
なお、サイドランプ・カバー１４０の内部にも装飾用の複数個の装飾ランプ（図示せず）が配設されており、これら複数の装飾ランプの放射光によりサイドランプ・カバー１４０の装飾色を所定のカラー色（例えば、赤色）にしている。このサイドランプ・カバー１４０も、装飾ランプ・カバー２００と同様に、樹脂材などを使用したカラーレンズカバーとして構成されており、装飾ランプの点滅や点灯により所定のカラー色（例えば、赤色）として視認される。
【００３８】
また、ベース板部１３０の表面部１３１には、装飾ランプ１６０から放射される放射光の拡散を防止するための光拡散防止シート１５０が取り付け固定されている。この光拡散防止シート１５０は、装飾ランプ１６０の発光時に、装飾ランプ１６０から放射された光が拡散光となることを防止する機能を備えている。
【００３９】
すなわち、図５に示すように、光拡散防止シート１５０は、複数の装飾ランプ１６０が固設された基板部１６１の上方に配置されており、この光拡散防止シート１５０の所定位置（装飾ランプ１６０と対向する位置）には、複数の円孔部１５１が形成されている。これにより、装飾ランプ１６０から放射された前方以外の方向に向かう光は、円孔部１５１の段部１５２に反射されるため、この光はほぼ直進光となって前方に向けて放射されることとなる。
【００４０】
また、図４−１、図４−２に示すように、ベース板部１３０のほぼ中央には、配当表パネル４００を嵌め込んで取り付けるための開口部１３５が形成されている。この開口部１３５の上下位置には、一対の係合孔１３６及び係合孔１３７がそれぞれ形成されている。
【００４１】
ここで、本実施例１に係るパチスロ機１は、スピーカ・カバー３００に一対のスピーカ６を保護する機能を備えるとともに、装飾ランプ・カバー２００を上部枠体１００に対して、従来のような取り付けネジや固定部材などを使用することなく取り付け固定する構成としたことに特徴がある。すなわち、スピーカ・カバー３００は、上部枠体１００に対して着脱可能に構成されるとともに、このスピーカ・カバー３００を上部枠体１００に取り付けた状態では、装飾ランプ・カバー２００の取り付け及び一対のスピーカ６に対する保護機能とを兼用する。
【００４２】
このため、図３に示すように、上部枠体１００の周囲（上部）を覆っている上部カバー１２０（レンズベース）の内方部には、装飾ランプ・カバー２００の湾曲形状とほぼ一致するように形成された開口部１２１が設けられている。すなわち、上部カバー１２０に形成された開口部１２１の形状は、装飾ランプ・カバー２００を構成する本体部２１０の外周縁部２１１の形状とほぼ一致する湾曲形状となっている。これにより、装飾ランプ・カバー２００の取り付け時に、この装飾ランプ・カバー２００を上部カバー１２０の開口部１２１に嵌め込むことにより、装飾ランプ・カバー２００を上部枠体１００の上部カバー１２０内に一時的に取り付けることができる。
【００４３】
また、ベース板部１３０には、複数のカバー類（装飾ランプ・カバー２００、スピーカ・カバー３００）及び配当表パネル４００を取り付けるための係合孔や位置決め孔がそれぞれ形成されている。具体的に説明すると、ベース板部１３０のほぼ中央に設けられた開口部１３５の周囲には、配当表パネル４００を取り付けるための係合孔として機能する一対の係合孔１３６、１３７が形成されている。後述するように、この開口部１３５の一対の係合孔１３６、１３７に、配当表パネル４００に設けられた一対の係合爪４２１及び係合片４３１（図１２）をそれぞれ係合させることにより、上部枠体１００に対して配当表パネル４００を取り付けることができる。
【００４４】
また、同じくベース板部１３０の下方位置には、一対の嵌合孔１３８が形成されており、これら一対の嵌合孔１３８には、装飾ランプ・カバー２００に設けられた位置決め用の位置決めピン２４０（図８）を嵌め込むことができる。また、ベース板部１３０の表面部１３１の所定位置（開口部１３５の対角線を形成する上下位置）には、２箇所の取り付け孔１３９（図４−１、図４−２）が設けられている。
【００４５】
この取り付け孔１３９は、スピーカ・カバー３００の取り付け部３３５（図１０）が嵌入可能な径寸法を有するとともに、ベース板部１３０の裏面部１３２（図６）に固設された取り付けボス１３４から取り付けネジが挿入される構成となっている。後述するように、この取り付けネジを使用して、スピーカ・カバー３００の取り付け部３３５をベース板部１３０に締結させることで、このスピーカ・カバー３００を上部枠体１００に対して確実に取り付け固定することができる。
【００４６】
ここで、上部枠体１００を構成するベース板部１３０の下部位置には、一対の取り付け片１３３（図６）が設けられており、これら一対の取り付け片１３３を前面ドア２のドアフレームに形成された取り付け孔（図示せず）に嵌合させることにより、上部枠体１００を前面ドア２の上部に取り付けることができる。
【００４７】
次に、以下では、上述したように構成される上部枠体１００内に装着されるカバー類（装飾ランプ・カバー２００、スピーカ・カバー３００）及び配当表パネル４００の構成及び機能の詳細について説明する。
【００４８】
［装飾ランプ・カバー２００の構成］
先ず、図７及び図８を参照して、装飾ランプ・カバー２００の構成及び機能について説明する。図７は、装飾ランプ・カバー２００を表面側から観た斜視図を、図８は、装飾ランプ・カバー２００裏面側から観た斜視図をそれぞれ示している。
【００４９】
前述したように、装飾ランプ・カバー２００は、上部枠体１００の上部カバー１２０（図３）の開口部１２１に対して着脱自在となるように構成されている。また、図７及び図８に示すように、この装飾ランプ・カバー２００の本体部２１０は、複数の装飾ランプ１６０（図３）が配設される領域とほぼ一致する形状であるとともに、一対のスピーカ６が配設される領域を除く湾曲形状に成形されている。
【００５０】
同図に示すように、この装飾ランプ・カバー２００の本体部２１０には、スピーカ・カバー３００（図９）の本体部３１０の形状とほぼ一致する大きさに形成された開口部２２０が設けられており、この開口部２２０に対して、スピーカ・カバー３００を嵌め込むことで、装飾ランプ・カバー２００を上部枠体１００に取り付ける構成となっている。このため、装飾ランプ・カバー２００の開口部２２０には、僅かに内側に向けて延出された内周縁部２２１（図７の黒色で示す部分）が形成されており、この内周縁部２２１に対して、スピーカ・カバー３００の外周縁部３２１（図１０の黒色で示す部分）が当接するように構成されている。
【００５１】
また、開口部２２０の一部（図７の下側）は、切り欠き部２２２となっており、この切り欠き部２２２には、スピーカ・カバー３００の外周縁部３２１の一部（図１０の下側）に設けられた係合板部３２２が係合する構成となっている。また、切り欠き部２２２の片側（図７の左側、図８の右側）であって、開口部２２０の内周縁部２２１の一部には、係合凹部２２３が形成されている。この係合凹部２２３は、スピーカ・カバー３００の外周縁部３２１の一部に設けられた係合凸部３２３（図１０）が係合する構成となっている。
【００５２】
また、装飾ランプ・カバー２００の開口部２２０の両端部側の２箇所位置には、スピーカ・カバー３００の一対の係合腕部３４０（図１０）を挿通させるための一対の切り欠き部２３０が形成されている。後述するように、装飾ランプ・カバー２００に対するスピーカ・カバー３００の取り付け時に、スピーカ・カバー３００の係合腕部３４０は、装飾ランプ・カバー２００の切り欠き部２３０を挿通するとともに、ベース板部１３０に形成された一対の係合孔１３０ａ（図４−２）に対してそれぞれ係合することとなる。
【００５３】
また、装飾ランプ・カバー２００の開口部２２０に形成された切り欠き部２２２の両端部側（図８の下側）には、この装飾ランプ・カバー２００を上部枠体１００の所定位置に位置決めした状態で取り付けるための一対の位置決めピン２４０が固設されている。すなわち、装飾ランプ・カバー２００を上部枠体１００に取り付ける場合に、ベース板部１３０に形成された嵌合孔１３８（図４−１、図４−２）に、装飾ランプ・カバー２００の位置決めピン２４０を嵌合させる構成としている。これにより、上部枠体１００に対する装飾ランプ・カバー２００の取り付け位置の位置決めを確実に行なうことができる。
【００５４】
［スピーカ・カバー３００の構成］
次に、図９及び図１０を参照して、スピーカ・カバー３００の構成及び機能について説明する。図９は、スピーカ・カバー３００を表面側から観た斜視図を、図１０は、スピーカ・カバー３００を裏面側から観た斜視図をそれぞれ示している。同図に示すように、スピーカ・カバー３００は、装飾ランプ・カバー２００の開口部２２０（図７）とほぼ一致する湾曲形状に成形された本体部３１０により構成されるとともに、このスピーカ・カバー３００のほぼ中央部には矩形状の開口部３２０が形成されている。この開口部３２０は、配当表パネル４００（図１１）を嵌め込むための開口として機能する。
【００５５】
また、この開口部３２０の周囲に位置する領域は、一対のスピーカ６（図３）を保護するための覆い部３３０となっており、この覆い部３３０には、スピーカ６による効果音や音声を出力するための複数の小円通孔３３１と、空気の流通孔として機能する複数の通風孔３３２とが形成されている。
【００５６】
また、スピーカ・カバー３００の開口部３２０の一部（図１０の下側）には、係合板部３２２と、この係合板部３２２の片側（図１０の右側）に形成された係合凸部３２３とがそれぞれ設けられている。これら係合板部３２２及び係合凸部３２３は、スピーカ・カバー３００の裏面側に僅かに突出するように形成されている。このうち、係合板部３２２は、装飾ランプ・カバー２００（図７）の切り欠き部２２２と係合する。また、同じく、係合凸部３２３は、装飾ランプ・カバー２００の係合凹部２２３とそれぞれ係合する構成となっている。さらに、前述したように、スピーカ・カバー３００の外周縁部３２１（図１０の黒色で示す部分）は、装飾ランプ・カバー２００の内周縁部２２１（図７の黒色で示す部分）と当接する構成となっている。
【００５７】
具体的に説明すると、上述したようにスピーカ・カバー３００の本体部３１０は、装飾ランプ・カバー２００の開口部２２０の湾曲形状に沿って形状に成形されているため、このスピーカ・カバー３００を装飾ランプ・カバー２００の開口部２２０に嵌め込んだ状態で、両者のカバー２００、３００同士を組み付けた際には、スピーカ・カバー３００の外周縁部３２１（図１０）が装飾ランプ・カバー２００の開口部２２０の内周縁部２２１（図７）と密着した状態で当接する構成となっている。また、この時に、スピーカ・カバー３００の係合板部３２２は、装飾ランプ・カバー２００の切り欠き部２２２に係合し、また、係合凸部３２３は、装飾ランプ・カバー２００の係合凹部２２３に係合する構成となっている。
【００５８】
また、スピーカ・カバー３００の両端側には、一対の係合腕部３４０が固設されている。この一対の係合腕部３４０は、装飾ランプ・カバー２００の一対の切り欠き部２３０を挿通しつつ、上部枠体１００のベース板部１３０の係合孔１３０ａ（図４−１、図４−２）に係合する構成となっている。すなわち、スピーカ・カバー３００に設けられた一対の係合腕部３４０は、上部枠体１００のベース板部１３０の係合孔１３０ａと係合する時に、装飾ランプ・カバー２００の一対の切り欠き部２３０を挿通するとともに、この切り欠き部２３０と当接することで、装飾ランプ・カバー２００に対する当接をより強いものとすることができ、これにより、このスピーカ・カバー３００と上部枠体１００との間に挟持した装飾ランプ・カバー２００を上部枠体１００に対して確実に取り付けることができる。また、開口部３２０の一部（図９、図１０の上側）には、所定の間隔だけ窪んだ平行凹部３２０ａが形成されており、この平行凹部３２０ａは、配当表パネル４００の取り付け時に、この配当表パネル４００の上辺部４２０に設けられた一対の係合爪４２１（図１２）が通過し易いように形成されている。
【００５９】
また、開口部３２０が形成された対角線上の２箇所位置には、一対の取り付け部材３３５が設けられている。これら一対の取り付け部材３３５は、上部枠体１００に対するスピーカ・カバー３００の取り付け時に、ベース板部１３０の取り付け孔１３９（図４−１）と合致させることができ、さらに、ベース板部１３０の裏面部１３２の取り付けボス１３４から挿通された取り付けネジにより締結させることができる。すなわち、これによって、スピーカ・カバー３００を上部枠体１００に対して確実に取り付け固定することができる。
【００６０】
そして、上述したようにスピーカ・カバー３００を上部枠体１００に取り付けた場合、装飾ランプ・カバー２００は、上部枠体１００の上部カバー１２０とスピーカ・カバー３００との間で挟持され、さらに、スピーカ・カバー３００の外周縁部３２１（図１０）が装飾ランプ・カバー２００の開口部２２０の内周縁部２２１（図７）と密着した状態で当接するため、上部枠体１００に対して確実に取り付け固定されることとなる。
【００６１】
以上説明したように、スピーカ・カバー３００は、上部枠体１００への装着時に、装飾ランプ・カバー２００を複数の取り付けネジや固定部材などを使用しないで上部枠体１００に対して取り付け固定する機能と、一対のスピーカ６を覆い部３３０により同時に保護する機能と２つの機能を備えている。
【００６２】
[配当表パネル４００の構成]
次に、図１１及び図１２を参照して、配当表パネル４００の構成について説明する。図１１は、配当表パネル４００を表面側から観た斜視図を、図１２は、配当表パネル４００を裏面側から観た斜視図をそれぞれ示している。前述したように、配当表パネル４００は、上部枠体１００のベース板部１３０に対して着脱自在に構成されており（図３）、図１１及び図１２に示すように、この配当表パネル４００は、スピーカ・カバー３００の開口部３２０（図９、図１０）の領域とほぼ一致する略四角形に成形された本体部４１０の上辺部４２０に設けられた一対の係合爪４２１と、下辺部４３０に設けられた一対の係合片４３１とで構成されている。このうち、係合爪４２１の先端部は、鉤型状の爪部４２２として形成され、係合片４３１の先端部は、下方に向けてほぼ９０°屈曲した屈曲部４３２として形成されている。なお、この配当表パネル４００は、装飾ランプ・カバー２００及びスピーカ・カバー３００の取り付けに拘わらず上部枠体１００に対して着脱自在となっている。
【００６３】
また、この配当表パネル４００の表面には、遊技時に成立した役に対応する払い出し枚数が示された配当表が設けられている。上部枠体１００に対する配当表パネル４００の取り付けは、配当表パネル４００の上辺部４２０に設けられた係合爪４２１の爪部４２２と、下辺部４３０に設けられた係合片４３１の屈曲部４３２とをそれぞれ、上部枠体１００のベース板部１３０に形成された開口部１３５の係合孔１３６、１３７とにそれぞれ係合させることで行なうことができる。
【００６４】
［上部枠体１００に対するカバー類及び配当表パネルの取り付け手順］
次に、前述した図３及び図４−１〜図１２を参照して、上部枠体１００に対するカバー類（装飾ランプ・カバー２００、スピーカ・カバー３００）及び配当表パネル４００の取り付け手順の一例を説明する。
【００６５】
すなわち、先ず、（１）上部枠体１００の上部カバー１２０に対する装飾ランプ・カバー２００の嵌め込み作業を行なう。具体的に説明すると、装飾ランプ・カバー２００の外周縁部２１１を上部カバー１２０の開口部１２１に合わせた状態で、この装飾ランプ・カバー２００の一対の位置決めピン２４０をベース板部１３０に設けられた嵌合孔１３８に嵌合させる。これにより、装飾ランプ・カバー２００は、上部枠体１００の上部カバー１２０内に位置決めされた状態で、一時的に取り付けることができる。
【００６６】
次に、（２）上部枠体１００及び装飾ランプ・カバー２００に対するスピーカ・カバー３００の取り付け作業を行なう。具体的に説明すると、スピーカ・カバー３００の係合腕部３４０を装飾ランプ・カバー２００の切り欠き部２３０に通過させながら、このスピーカ・カバー３００の外周縁部３２１を装飾ランプ・カバー２００の開口部２２０の内周縁部２２１と合わせた状態で、スピーカ・カバー３００の係合板部３２２を装飾ランプ・カバー２００の切り欠き部２２２に係合させ、同時に、係合凸部３２３を装飾ランプ・カバー２００の係合凹部２２３に係合させる。以下、この状態で、スピーカ・カバー３００の一対の係合腕部３４０をベース板部１３０に設けられた一対の係合孔１３０ａにそれぞれ係合させる。
【００６７】
以上の手順により、スピーカ・カバー３００を上部枠体１００に取り付けた場合、装飾ランプ・カバー２００は、上部枠体１００の上部カバー１２０とスピーカ・カバー３００との間で挟持され、さらに、スピーカ・カバー３００の外周縁部３２１が装飾ランプ・カバー２００の開口部２２０の内周縁部２２１と密着した状態で当接するとともに、装飾ランプ・カバー２００に形成された切り欠き部２２２及び係合凹部２２３とスピーカ・カバー３００に設けられた係合板部３２２及び係合凸部３２３とがそれぞれ係合することとなるため、この装飾ランプ・カバー２００は上部枠体１００に対して取り付け固定されることとなる。
【００６８】
さらに、最後にスピーカ・カバー３００の取り付け部材３３５をベース板部１３０の取り付け孔１３９に合致させた状態で、このベース板部１３０の裏面部１３２に固設された取り付けボス１３４から取り付けネジを挿通させ、この取り付けネジの締結により、取り付け部材３３５をベース板部１３０に取り付け固定する。すなわち、これによって、スピーカ・カバー３００を上部枠体１００に対して確実に取り付け固定することができる。
【００６９】
これにより、スピーカ・カバー３００を上部枠体１００に対して取り付けることができ、これにともなって、スピーカ・カバー３００と上部枠体１００との間に介在する装飾ランプ・カバー２００も上部枠体１００に対して、取り付け固定することができる。そして、この場合、スピーカ・カバー３００は一対のスピーカ６の上方位置（周囲）を覆い部３３０により覆うことができ、これによって、これらスピーカ６の保護を行なうことができる。
【００７０】
なお、上述したスピーカ・カバー３００の取り付け手順では、最終的にスピーカ・カバー３００に設けられた取り付け部材３３５をベース板部１３０の取り付け孔１３９に対して、取り付けネジにより締結することとしているが、取り付け部材３３５による固定を行なわなくても、スピーカ・カバー３００の取り付け及び装飾ランプ・カバー２００の取り付けを行なうことができる。
【００７１】
次に、（３）上部枠体１００及びスピーカ・カバー３００に対する配当表パネル４００の取り付け作業を行なう。具体的に説明すると、上部枠体１００のベース板部１３０に配当表パネル４００を取り付ける場合には、先ず、ベース板部１３０に形成された開口部１３５の下方に位置する一対の係合孔１３７に、配当表パネル４００の下辺部４３０に設けられた一対の係合片４３１の屈曲部４３２をそれぞれ係合させるとともに、次いで、同じく開口部１３５の上方に位置する係合孔１３６に配当表パネル４００の上辺部４２０に設けられた一対の係合爪４２１の爪部４２２を係合させて固定することにより、上部枠体１００に対する配当表パネル４００の取り付けを行なうことができる。
【００７２】
以下、図１に戻り、上述した上部枠体１００以外のパチスロ機１各部の構成について説明する。図１に示すように、パチスロ機１の前面部には、略垂直面をなすパネル表示部２ａ及び液晶表示部２ｂが設けられている。パネル表示部２ａには、リール表示窓４Ｌ，４Ｃ，４Ｒが設けられ、このリール表示窓４Ｌ，４Ｃ，４Ｒには、水平方向にトップライン５ｂ、センターライン５ｃ及びボトムライン５ｄの表示ラインが設けられ、斜め方向にクロスアップライン５ａ及びクロスダウンライン５ｅの表示ラインが設けられる。
【００７３】
後述するように、遊技者がメダル投入口１２に１枚又は２枚のメダルを投入した場合には、それぞれ１本（センターライン５ｃ）又は３本（トップライン５ｂ、センターライン５ｃ及びボトムライン５ｄ）の表示ラインが有効となる。また、遊技者が３−ＢＥＴボタン１５を押下操作するか又は遊技者がメダル投入口１２に３枚のメダルを投入すると、５本の各ライン５ａ〜５ｅが有効となる。なお、これら各ライン５ａ〜５ｅは役の成否に関わる。また、液晶表示部２ｂは、パチスロ遊技時の各種演出や待機時のデモ表示などを行なう。
【００７４】
前面ドア２の背後には、複数種類の図柄が各々の外周面に描かれた３個のリール３Ｌ，３Ｃ，３Ｒが回転自在に横一列に設けられており、各リール３Ｌ，３Ｃ，３Ｒは、一定の速度（例えば、８０回転／分）で回転する。これら３個のリール３Ｌ，３Ｃ，３Ｒによりリールユニット３が構成される。
【００７５】
各リール３Ｌ，３Ｃ，３Ｒは、リール表示窓４Ｌ，４Ｃ，４Ｒから目視することができ、各リール３Ｌ，３Ｃ，３Ｒが回転中であり、停止ボタン１８Ｌ，１８Ｃ，１８Ｒが押下操作可能である場合には、遊技者がリール３Ｌ，３Ｃ，３Ｒ上の図柄を視認できるように透過状態となる。
【００７６】
また、パネル表示部２ａには、ボーナス回数表示部８、ＢＥＴランプ７ａ〜７ｃ、クレジット表示部９及び払出枚数表示部１０が設けられている。ボーナス回数表示部８は、７セグメントＬＥＤにより形成されておりボーナス中の遊技情報を表示する。
【００７７】
ＢＥＴランプ７ａ〜７ｃは、１ゲームを行なうために賭けられたメダル数（以下「ＢＥＴ数」と言う）に応じて点灯するランプであり、具体的には、１−ＢＥＴランプ７ａはＢＥＴ数が１の時に点灯し、２−ＢＥＴランプ７ｂはＢＥＴ数が２以上である場合に点灯し、３−ＢＥＴランプ７ｃはＢＥＴ数が３以上である場合に点灯する。
【００７８】
また、クレジット表示部９及び払出枚数表示部１０は、それぞれ７セグメントのＬＥＤにより形成され、クレジット表示部９にはクレジットされている残メダル枚数が表示される。ここで、通常は、パチスロ機１にクレジットされる最大枚数は５０枚であるので、このクレジット表示部９に表示されるクレジット枚数は５０以下となる。なお、最大枚数の５０枚のメダルがクレジットされている状態で、メダルを投入してもそのまま払い出される。また、払出枚数表示部１０には入賞が成立した時のメダル払出枚数が表示される。
【００７９】
また、パネル表示部２ａ及び液晶表示部２ｂの下方には、略水平面をなす台座部１１が設けられている。この台座部１１の右側には、メダルを投入するためのメダル投入口１２が設けられており、このメダル投入口１２に投入されたメダルは、クレジットされるか又はゲームに賭けられる。
【００８０】
メダル投入口１２は、投入されたメダルの正誤を判別するメダルセレクタ（図示せず）を構成するメダル通路に連絡されており、このメダルセレクタによりメダル投入口１２から投入されたメダルが正規メダルか不正メダルであるかをメダルの大きさや磁性特性などにより判別することができる。
【００８１】
また、台座部１１の左側には、クレジットされているメダルを賭けるための１枚賭け用の１−ＢＥＴボタン１３と、２枚賭け用の２−ＢＥＴボタン１４と、３枚賭け用の３−ＢＥＴボタン１５とが設けられている。
【００８２】
このうち、３−ＢＥＴボタン１５は、所謂ＭＡＸ−ＢＥＴボタンであり、１回の押下操作によりクレジットされたメダルから１ゲームに賭け得る最大枚数のメダル（通常は３枚）が賭けられる。かかる１−ＢＥＴボタン１３，２−ＢＥＴボタン１４，３−ＢＥＴボタン１５を押下操作するか若しくは３枚のメダルがメダル投入口１２に投入されると、所定のライン５ａ〜５ｅが有効化される。
【００８３】
台座部１１の前面部の左寄りには、遊技者がゲームで獲得したメダルをクレジットするか、クレジットしたメダルを払い出すかを押下操作で切り換えるＣ／Ｐボタン１６が設けられている。所定枚数のメダルがクレジットされた状態でＣ／Ｐボタン１６が押下されると、クレジットが無効化され該クレジットされた枚数分のメダルが正面下部に開口したメダル払出口２０からメダル受け部１９に投出される。
【００８４】
また、クレジットが無効化された状態でこのＣ／Ｐボタン１６が押下されると、クレジットが有効となる。このＣ／Ｐボタン１６の右側には、遊技者の操作によりリール３Ｌ〜３Ｒを回転駆動させるスタートレバー１７が所定の角度範囲で回動自在に取り付けられている。
【００８５】
台座部１１の前面部中央で、スタートレバー１７の右側には、３個のリール３Ｌ，３Ｃ，３Ｒの回転をそれぞれ停止させるための３個の停止ボタン１８Ｌ，１８Ｃ，１８Ｒが設けられている。なお、１ゲーム（単位遊技）は、スタートレバー１７が操作されることによって開始され、全てのリール３Ｌ，３Ｃ，３Ｒが停止したときに終了する。
【実施例２】
【００８６】
次に、図１３を参照して、本発明の遊技機に係る実施例２について説明する。図１３は、本実施例２に係るパチスロ機１の上部枠体１００に設けるスピーカ・カバー３００ａの全体構成を示す斜視図を示している。この実施例２に示すスピーカ・カバー３００ａは、前述した実施例１に示したスピーカ・カバー３００の構成と同様に、装飾ランプ・カバー２００を取り付けネジや固定部材などを使用しないで上部枠体１００に対して取り付け固定する機能と、一対のスピーカ６（図３）を覆い部３３０により同時に保護する２つの機能を備えている。
【００８７】
ここで、前述した実施例１で示したスピーカ・カバー３００と、図１３の実施例２で示したスピーカ・カバー３００ａとの相違は、実施例１に示したスピーカ・カバー３００の場合には、覆い部３３０の全体にわたって複数の小円通孔３３１を設ける構成としているが、本実施例２で示したスピーカ・カバー３００ａの場合には、覆い部３３０のほぼ全体にわたって空気孔として機能する通風孔３３２を形成した点にある。
【００８８】
すなわち、実施例２のスピーカ・カバー３００ａの場合には、覆い部３３０のほぼ全体にわたって複数の通風孔３３２を設けることにより、より空気を流通させる構成としている。なお、その他の構成及び機能については、前述した実施例１のスピーカ・カバー３００の構成及び機能と同様であるため、詳細な説明は省略する。
【００８９】
［パチスロ機１の電気的構成］
次に、図１４を参照して、図１に示したパチスロ機１の電気的構成について説明する。図１４は、実施例１に係るパチスロ機１の電気的構成（電気回路）を示すブロック図を示している。同図に示すように、パチスロ機１を構成する電気回路は、パチスロ機１の遊技処理動作を全体的に制御する主制御回路７０と、この主制御回路７０に電気的に接続される各種の周辺装置（アクチュエータ）と、主制御回路７０から送信される制御指令に基づいて液晶表示部２ｂとスピーカ６，６と装飾ランプ・カバー２００の内部に設けられた複数の装飾ランプ１６０（図３）などのＬＥＤ類２０１及びランプ類２０２を制御する副制御回路７１とが含まれる。主制御回路７０と各種の制御基板及び各種の周辺装置（アクチュエータ）は、Ｉ／Ｏポート３８を介して、電気的に各種信号を入出力可能に接続されている。
【００９０】
主制御回路７０は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、記憶手段であるＲＡＭ３２とＲＯＭ３３とを有する。
【００９１】
ＣＰＵ３１には、基準クロックパルスを発生するクロックパルス発生回路３４及び分周器３５と、サンプリングされる乱数を発生する乱数発生器３６及びサンプリング回路３７とが接続されている。
【００９２】
乱数発生器３６は、一定の数値範囲に属する乱数を発生し、サンプリング回路３７は、スタートレバー１７が操作された後の適宜のタイミングで乱数をサンプリングする。こうしてサンプリングされた乱数を使用することにより、例えば、ＲＯＭ３３内に格納されている確率抽籤テーブルなどに基づいて内部当籤役などが決定される。なお、マイクロコンピュータ３０内のＣＰＵ３１上で乱数サンプリング用プログラムを実行してソフトウエア的に乱数サンプリングを行うこともできる。この場合、乱数発生器３６及びサンプリング回路３７を省略することができる。
【００９３】
マイクロコンピュータ３０のＲＯＭ３３には、副制御回路７１へ送信するための各種制御指令及びスタートレバー１７を操作（スタート操作）する毎に行われる乱数サンプリングの判定に用いられる確率抽籤テーブルや停止用当籤役決定テーブル、停止ボタン１８Ｌ，１８Ｃ，１８Ｒの操作に応じてリールの停止態様を決定するための停止テーブル群などが格納されている。なお、副制御回路７１が主制御回路７０へ制御指令や情報等を入力することはなく、主制御回路７０から副制御回路７１への一方向で通信が行われる。
【００９４】
さらに、このＲＯＭ３３内には、表示役に対応する各種の図柄の組合せと、メダルの配当枚数と、その入賞（成立）を表わす入賞判定コード（成立判定コード）とが対応付けられた表示役特定テーブルが格納されている。この表示役特定テーブルは、左のリール３Ｌ，中央のリール３Ｃ，右のリール３Ｒの停止制御時並びに全リール３Ｌ，３Ｃ，３Ｒの停止後の表示役の確認を行なう際に参照される。表示役（表示役データ）は、有効ラインに沿って並ぶ図柄組合せに対応する役（成立役）であり、遊技者にはこの表示役に対応する利益が付与される。また、ＲＡＭ３２には、パチスロ機１の入賞に係わる内部当籤役、持越役、現在の遊技状態などの種々の情報が格納される。
【００９５】
マイクロコンピュータ３０からの制御信号により動作が制御される主要なアクチュエータとしては、ＢＥＴランプ（１−ＢＥＴランプ７ａ、２−ＢＥＴランプ７ｂ、３−ＢＥＴランプ７ｃ）と、ボーナス回数表示部８、クレジット表示部９、払出枚数表示部１０などの表示部と、メダルを収納しホッパー駆動回路４６の命令により所定枚数のメダルを払出すメダルホッパー２１（払出しのための駆動部を含む）と、リール３Ｌ，３Ｃ，３Ｒを回転駆動するステッピングモータ４９Ｌ，４９Ｃ，４９Ｒとがある。
【００９６】
また、ステッピングモータ４９Ｌ，４９Ｃ，４９Ｒを駆動制御するモータ駆動回路５０、メダルホッパー２１を駆動制御するホッパー駆動回路４６、ＢＥＴランプ（１−ＢＥＴランプ７ａ、２−ＢＥＴランプ７ｂ、３−ＢＥＴランプ７ｃ）を駆動制御するランプ駆動回路４５並びにボーナス回数表示部８、クレジット表示部９、払出枚数表示部１０などの表示部を駆動制御する表示部駆動回路４８がＣＰＵ３１の出力部に接続されている。これらの駆動回路は、それぞれＣＰＵ３１から出力される駆動指令などの制御信号を受けて、各アクチュエータの動作を制御する。
【００９７】
また、マイクロコンピュータ３０へは、スタートスイッチ１７Ｓ、ＢＥＴスイッチ（１−ＢＥＴスイッチ１３Ｓ、２−ＢＥＴスイッチ１４Ｓ、３−ＢＥＴスイッチ１５Ｓ）、リール位置検出回路４９、払出完了信号回路４７から入力信号が入力され、これらに基づいて制御指令が発生される。
【００９８】
スタートスイッチ１７Ｓは、スタートレバー１７の操作を検出するスイッチである。１−ＢＥＴスイッチ１３Ｓ，２−ＢＥＴスイッチ１４Ｓ，３−ＢＥＴスイッチ１５Ｓは、１−ＢＥＴボタン１３，２−ＢＥＴボタン１４，３−ＢＥＴボタン１５の背面に設けられ各１−ＢＥＴボタン１３，２−ＢＥＴボタン１４，３−ＢＥＴボタン１５の操作に応じて信号を発生するスイッチである。
【００９９】
Ｃ／Ｐスイッチ１６Ｓは、Ｃ／Ｐボタン１６の背面に設けられＣ／Ｐボタン１６の操作に応じて信号を発生するスイッチである。リール位置検出回路４９は、リール回転センサからのパルス信号を受けて各リール３Ｌ，３Ｃ，３Ｒの位置を検出するための信号をＣＰＵ３１へ供給する回路である。払出完了信号回路４７は、メダルホッパー２１から払出されたメダルの枚数が指定された枚数データに達した時にメダル払出完了を示す信号を発生する。
【０１００】
リール３Ｌ，３Ｃ，３Ｒの回転が開始された後、ステッピングモータ４９Ｌ，４９Ｃ，４９Ｒの各々に供給される駆動パルスの数が計数され、その計数値がＲＡＭ３２の所定エリアに書き込まれる。リール３Ｌ，３Ｃ，３Ｒからは一回転毎にリセットパルスが得られ、これらのパルスはリール位置検出回路４９を介してＣＰＵ３１に入力される。このようにして得られたリセットパルスにより、ＲＡＭ３２で計数されている駆動パルスの計数値が“０”にクリアされる。これにより、ＲＡＭ３２内には、各リール３Ｌ，３Ｃ，３Ｒについて一回転の範囲内における回転位置に対応した計数値が格納される。
【０１０１】
上記のようなリール３Ｌ，３Ｃ，３Ｒの回転位置とリール外周面上に描かれた図柄とを対応づけるために、図柄テーブル（図示せず）が、ＲＯＭ３３内に格納されている。この図柄テーブルでは、前述したリセットパルスが発生する回転位置を基準として、各リール３Ｌ，３Ｃ，３Ｒの一定の回転ピッチ毎に順次付与されるコードナンバーと、それぞれのコードナンバー毎に対応して設けられた図柄を示す図柄コードとが対応付けられている。
【０１０２】
ＣＰＵ３１は、上記乱数サンプリングに基づく抽籤処理（確率抽籤処理など）により内部当籤役や停止用当籤役を決定したならば、遊技者が停止ボタン１８Ｌ，１８Ｃ，１８Ｒを操作したタイミングで停止スイッチ１８ＬＳ，１８ＣＳ，１８ＲＳから送られる操作信号並びに決定された停止テーブルに基づいて、リール３Ｌ，３Ｃ，３Ｒを停止制御する信号をリール停止信号回路５１を介して、モータ駆動回路５０に送出する。ただし、遊技者によるコマンドの入力を受け付ける場合には、ＣＰＵ３１は、遊技者が停止ボタン１８Ｌ，１８Ｃ，１８Ｒを操作したとしても、リール３Ｌ，３Ｃ，３Ｒを停止制御する信号をモータ駆動回路５０に送出しない。
【０１０３】
また、ＣＰＵ３１は、当籤した役の入賞を示す停止態様（即ち入賞態様）になれば、払出指令信号をホッパー駆動回路４６に供給してメダルホッパー２１から所定枚数のメダルの払出を行う。払出完了信号回路４７は、 メダル検出部２１Ｓの計数値（メダルホッパー２１から払い出されたメダルの枚数）が指定された枚数データに達した時、メダル払出完了信号を検知するための信号を発生する。すなわち、メダル検出部２１Ｓは、メダルホッパー２１から払出されるメダルの枚数を計数し、その計数値が指定された数に達した時にメダル払出完了信号を、払出完了信号回路４７を介して、ＣＰＵ３１に入力される。これにより、ＣＰＵ３１は、ホッパー駆動回路４６を介してメダルホッパー２１の駆動を停止し、メダル払出処理を終了することになる。
【０１０４】
[発明の効果]
以上説明したように、本発明によれば、スピーカ・カバー３００は、上部枠体１００に対して着脱自在に構成されるとともに、一対のスピーカ６が配設される領域を包囲する形状であって、且つ、装飾ランプ・カバー２００の開口部２２０の大きさとほぼ一致する形状に成形された構成となっており、装飾ランプ・カバー２００の開口部２２０の内周縁部２２１に対して、スピーカ・カバー３００の外周縁部３２１が当接するようになっているので、装飾ランプ・カバー２００の開口部２２０にスピーカ・カバー３００を嵌め込むことにより、この装飾ランプ・カバー２００を上部枠体１００に取り付けることができ、これによって、上部枠体１００に装飾ランプ・カバー２００を取り付ける際の作業効率を向上できるうえ、装飾ランプ・カバー２００及びスピーカ・カバー３００を固定する複数の取り付けネジや固定部材が不要となるため、これにより、部品点数の削減及びコストダウンを図ることができる。
【０１０５】
また、スピーカ・カバー３００の形状は、一対のスピーカ６を、同時に包囲する形状に成形されているので、このスピーカ・カバー３００を装飾ランプ・カバー２００の開口部２２０に装着するだけで、装飾ランプ・カバー２００を上部枠体１００に取り付けられるとともに、上部枠体１００に設けられる一対のスピーカ６を同時に保護することができ、これにより、部品点数の削減及びコストダウンを図ることができる。
【産業上の利用可能性】
【０１０６】
以上のように、本発明に係る遊技機は、遊技状態に応じて所定の効果音や音声を出力するスピーカや装飾ランプ・カバーを備えた遊技機に有用であり、特に、機種変更やデザイン変更を行なう時の作業効率の向上及び部品点数の低減を図ることができる遊技機に適する。
【図面の簡単な説明】
【０１０７】
【図１】実施例１に係るパチスロ機の外観構成を示す斜視図である。
【図２】実施例１に係る上部枠体の外観構成を示す正面図である。
【図３】実施例１に係る上部枠体に装着されるカバー類（装飾ランプ・カバー、スピーカ・カバー）及びパネル類を示す分解構成図である。
【図４−１】実施例１に係るカバー類（装飾ランプ・カバー、スピーカ・カバー）及び配当表パネルを取り外した状態の上部枠体を示す斜視図である。
【図４−２】実施例１に係る図４−１の正面図である。
【図５】実施例１に係る光拡散防止シートの要部を示す断面図である。
【図６】実施例１に係る上部枠体の後部を示す斜視図である。
【図７】実施例１に係る装飾ランプ・カバーの表面を示す斜視図である。
【図８】実施例１に係る装飾ランプ・カバーの裏面を示す斜視図である。
【図９】実施例１に係るスピーカ・カバーの表面を示す斜視図である。
【図１０】実施例１に係るスピーカ・カバー裏面を示す斜視図である。
【図１１】実施例１に係る配当表パネルの表面を示す斜視図である。
【図１２】実施例１に係る配当表パネルの裏面を示す斜視図である。
【図１３】実施例２に係るスピーカ・カバーの全体構成を示す斜視図である。
【図１４】主制御基板の構成を示す機能ブロック図である。
【符号の説明】
【０１０８】
１  パチスロ機
２  前面ドア
３Ｌ，３Ｃ，３Ｒ  リール
８  ボーナス回数表示部
９  クレジット表示部
１０  払出枚数表示部
１１  台座部
１２  メダル投入口
１６  Ｃ／Ｐボタン
１７  スタートレバー
１８Ｌ，１８，１８Ｒ  停止ボタン
１９  メダル受け部
２０  メダル払出口
１００  上部枠体
２００  装飾ランプ・カバー
３００  スピーカ・カバー
４００  配当表パネル
【図１】
2008048918.tif 000003
【図２】
2008048918.tif 000004
【図３】
2008048918.tif 000005
【図４−１】
2008048918.tif 000006
【図４−２】
2008048918.tif 000007
【図５】
2008048918.tif 000008
【図６】
2008048918.tif 000009
【図７】
2008048918.tif 000010
【図８】
2008048918.tif 000011
【図９】
2008048918.tif 000012
【図１０】
2008048918.tif 000013
【図１１】
2008048918.tif 000014
【図１２】
2008048918.tif 000015
【図１３】
2008048918.tif 000016
【図１４】
2008048918.tif 000017